(57)【要約】【課題】従来の電子レンジ加熱用の加熱調整シートや容器やこれらを利用した食品の場合、加熱むらにならない均一過熱するための工夫として、マイクロ波を遮蔽や減衰することよって、個々の食品やその状態に応じた加熱調整部材を配置した包装容器であった。エネルギー効率や個々の包装設計といった面でもコスト面で有利ではなく、簡易簡便でかつ消費者が安全に取り扱える包装形態が求められていた。【解決手段】マイクロ波透過性の材料で形成され、周側面形状が筒状や曲面形状を形成する容器に食品収納部を有し、その周側面外側に位置するように、アルミ薄膜層を有する円筒状体で覆い、さらにこれらを内包するようにマイクロ波を透過する材料からなる外箱を備えた構成であることを特徴とする電子レンジ加熱用包装体である。【選択図】図２
2009051560.tif 000002
【特許請求の範囲】
【請求項１】
マイクロ波透過性の材料で形成され、周側面の形状が筒状や曲面形状を形成する容器に食品収納部を有し、その周側面外側に位置するように、アルミ薄膜層を有する円筒状体で覆い、さらにこれらを内包するようにマイクロ波を透過する材料からなる外箱を備えた構成であることを特徴とする電子レンジ加熱用包装体
【請求項２】
食品収納部を有する容器において、トップシール面にフランジ面を有し、かつ該容器を覆うためにその周囲に配置されるアルミ薄膜層を有する円筒状体の上部端面にて該容器のフランジ面と接面しかつ支持される構成であることを特徴とする請求項１に記載の電子レンジ加熱用包装体
【請求項３】
食品収納部を有する容器におけるトップシール面が易剥離性を有するイージーピールヒートシールが施されていることを特徴とする請求項１乃至は請求項２に記載の電子レンジ加熱用包装体
【請求項４】
食品収納部を有する容器において、はかま部を有することを特徴とする請求項１乃至は請求項３に記載の電子レンジ加熱用包装体
【請求項５】
アルミ薄膜層を有する円筒状体表面両面にポリプロピレンフィルムがラミネートされ、かつその端部接合面において内面と外面とを貼り合わせするいわゆる封筒貼りにより、円筒状体に形成することを特徴とする請求項１乃至は請求項４に記載の電子レンジ加熱用包装体
【発明の詳細な説明】
【技術分野】
【０００１】
本発明は、食品収納部に収納された食品を電子レンジを利用して内容物を均一に加熱するための電子レンジ加熱用包装体に関するものである。
【背景技術】
【０００２】
従来、電子レンジを用いて加熱する容器では内容物である食品を均一に加熱するために発熱や遮断することによって加熱を調整するマイクロ波加熱調整シートが提案されている。（たとえば特許文献１）また、あるいは容器の一部にマイクロ波反射板を複数有する電子レンジ容器が提案されている。（たとえば特許文献２）また、さらには容器の底部の一部分にマイクロ波遮蔽部材を設けた容器入り冷凍／冷蔵食品が提案されている。（たとえば特許文献３）
【特許文献１】特開平１０−５６９８１号公報
【特許文献２】特許第３３０５２４６号公報
【特許文献３】特開２００２−２０９５６４号公報公報
【発明の開示】
【発明が解決しようとする課題】
【０００３】
前記のような従来の電子レンジ加熱用の加熱調整シートや容器やこれらを利用した食品の場合、加熱むらを防ぐためには均一過熱するための工夫として、マイクロ波を遮蔽したり減衰させたりの手段のためそれぞれ個々の食品やその状態に応じて加熱調整部材を配置する必要があった。また、十分にマイクロ波のエネルギーを効率よく利用できないことや局所的な工夫など個々の工夫のためにコスト面で有利ではなかった。そのため、簡易簡便でかつ消費者が安全に取り扱える包装形態が求められていた。
【０００４】
特許文献１においては、図３に示すようマイクロ波加熱調整シート１１を丸型容器１２に装着して、電子レンジ１３内に入れて加熱している状態である。マイクロ波加熱調整シート１１の役割は過加熱されるホットスポットの発生を防ぐためのマイクロ波の遮蔽と発熱部としての利用を考慮し、加熱する食品ごとに仕様が決定されたものである。補助加熱する考え方である。
【０００５】
また、特許文献２においては、図４に示すように食品容器１４の外周全面と底面部の外面の一部分に装着されたマイクロ波反射板１５により収納された食品１６を短時間で均一に加熱することを狙いとしたものである。この場合、個々の食品のその容器に対しての工夫となっている。
【０００６】
また、特許文献３においては、図５に示すように電子レンジ１３内に入れて加熱している状態で、食品容器１４の底部の一部分に装着されたマイクロ波遮蔽部材１７によりマイクロ波を遮断することによって、内容物である食品１６を均一加熱する狙いとしたものである。
【０００７】
これらの従来提案された方法においては、内容物である食品を効率よく均一に加熱するための十分に簡易簡便な電子レンジ加熱用の包装体ではなかった。
【０００８】
さらに本発明では、各包装体に対して個々の容器設計が不要で簡単な構成で実現できるため、従来のように食品に対する包装体ごとに効率のよい均一な加熱状況を達成するために最適な包装方法をそのつど検討する必要がない。
【課題を解決するための手段】
【０００９】
本発明は前述した課題を解決するために、マイクロ波透過性の材料で形成され、周側面形状が筒状や曲面形状を形成する容器に食品収納部を有し、その周側面外側に位置するように、アルミ薄膜層を有する円筒状体で覆い、さらにこれらを内包するようにマイクロ波を透過する材料からなる外箱を備えた構成であることを特徴とする電子レンジ加熱用包装体である。
【００１０】
また、さらにこのこの食品収納部を有する容器のトップシールはある一定温度以上に内容物が加熱されるとその蒸気圧で開封されるように、シール強度を弱めたイージーピールヒートシールである易剥離性シールを有する。
【発明の効果】
【００１１】
本発明によると消費者は購入後、外箱を開封し、そのまま食品が収納された容器とその周囲に配置されたアルミ薄膜された円筒体、それらを内包する外箱をそのままの状態で、電子レンジに入れて加熱することが出来る。
【００１２】
またさらに、食品が収納された容器のトップシールはある一定以上に加熱され、内部の蒸気圧が一定値以上になると自然に開封するようなイージーピール構造をとっているために、最適な加熱時間を確認することができる。
【００１３】
また、本発明はこれらの目的を達成するためにそれぞれの内蔵する食品ごとに包装設計をする必要がなく、よってそのため余分な資材を必要としないため、それを供給する方法やコスト面で有利で、環境面に対しても考慮した包装構成となっている。各部材ごとに分かれた構成となっているため、廃棄時の分別も容易である。
【発明を実施するための最良の形態】
【００１４】
本発明は前述した課題を解決するために、電子レンジ加熱包装体において、周側面形状が筒状もしくは局面形状を有する容器に食品を収容し、その周囲をアルミ蒸着層を有する円筒状体で覆い、さらにこれらを内包する様な箱体を備えたことを特徴とする電子レンジ加熱用包装体である。
【実施例１】
【００１５】
以下、本発明の実施の形態を添付図面に基づいて説明する。
【００１６】
図１は本発明の一実施例である電子レンジ加熱用包装体を示した斜視図である。１は容器、２はふた、３はアルミ薄膜層を有する円筒体、４は外箱、８は切込み線である。
【００１７】
容器１に食品を収容し、ふた２を用いてトップシールされている。その容器１の周囲をアルミ薄膜層を有する円筒体３で覆われている。さらにそれらを外箱４にて包装された構成となっている。容器１とアルミ薄膜層を有する円筒体とを貼着するなどして一体化してもよい。
【００１８】
容器１にふた２をヒートシールするに際して、ある一定温度に内容物である食品の温度が到達したときに内圧によりヒートシール部が層間剥離して開封されるように易剥離部を有している。
【００１９】
この電子レンジ用包装体を使用するには、外箱４の上面を切込み線８より取り除いて、内部の容器のふたの開封状況が分かるようにして使用する。開封されると内部より蒸気が発生し、その時点で加熱を終了するようにすれば、食品内部が最適な温度で提供することが出来る。
【００２０】
また、アルミ薄膜層を有する円筒体３はアルミ箔をポリプロピレンフィルム（以下ＰＰフィルム）で両面表面をラミネートされた構成で、かつＰＰフィルム表面にはヒートシール適性を上げるため片側表面内面にコロナ処理が施されている。このラミネートフィルムを端部において接合面を内面と外面でヒートシールするいわゆる封筒貼りにより円筒形状に形成されている。この方法により、突起部が形成されることが抑えられたのでさらにスパークが発生しにくくなっている。アルミ薄膜層としては電子レンジ加熱の場合、アルミ蒸着膜はスパークしやすくアルミ箔のほうが好ましい。
【００２１】
図２は図１のＡ−Ａ断面を示した断面図である。１は容器、２はふた、３はアルミ薄膜層を有する円筒体、４は外箱、５は内容物である食品、６はトップシール部、７ははかま部、８は切込み線である。
【００２２】
図２に示したように、内容物である食品５は容器１に入れられ、ふた２でヒートシールすることによって接着され、トップシール部６を形成される。この容器１の周囲をアルミ薄膜層を有する円筒体３を覆われ、さらに全体を外箱４で内包されている。このトップシール部６は内容物である食品５が一定温度に達し、容器内の内圧がある一定圧より大きくなると開封する仕組みとなっている。
【００２３】
また、容器１は図２に示すようにはかま部７を備えたものが望ましい。容器にはかま部がない場合は、容器１の深さよりアルミ薄膜層を有する円筒体３の高さのほうを若干大きくして、容器１の底部を浮かすことにより、底部全体を加熱むらなく効率よく加熱することが出来る。
【００２４】
これを使用するにおいては、電子レンジに外箱４の上面を切込み線８により開封して、外箱４ごと入れ加熱する。食品５が適温になれば食品５が内包された容器１のふた２のトップシール部６の易剥離部が内圧により剥離をおこし開封され蒸気が開放される。
【００２５】
外箱４の上面が開封されているため、開放された蒸気により内容物である食品５が適温に熱せられたことを確認できる。また外箱４には側面辺にも切込み線８を入れることにより、加熱終了後はここからも外箱４を拡げることができるようになっている。
【産業上の利用可能性】
【００２６】
本発明はたとえば、電子レンジで加熱調理する食品に利用される容器に関する。その食品ごとに容器の構成等の設計が必要となるのではなく、標準的な容器とそのマイクロ波反射体の構成で、内容物である食品の均一加熱を実現する。容易簡便な構成のため、コストを抑え、さらに家庭におけるごみの分別回収にも簡単に分けることが出来る。また、さらに外箱の上面部を開封するだけで、そのまま過熱が可能で、このため流通時においては外箱は内容物の告知宣伝に利用でき、加熱後はこの外箱を開くことによりトレーやマットとしても利用できる。
【図面の簡単な説明】
【００２７】
【図１】本発明の一実施例である電子レンジ加熱用包装体を示した斜視図である。
【図２】図１のＡ−Ａ断面を示した断面図である。
【図３】従来例を示した正面図である。
【図４】従来例を示した正面図である。
【図５】従来例を示した正面図である。
【符号の説明】
【００２８】
１    容器
２    ふた
３    アルミ薄膜層を有する円筒体
４    外箱
５    食品
６    トップシール部
７    はかま部
８    切込み線
１１  マイクロ波加熱調整シート
１２  丸型容器
１３  電子レンジ
１４  食品容器
１５  マイクロ波反射板
１６  食品
１７  マイクロ波遮蔽部材
【図１】
2009051560.tif 000003
【図２】
2009051560.tif 000004
【図３】
2009051560.tif 000005
【図４】
2009051560.tif 000006
【図５】
2009051560.tif 000007